(57)【要約】【課題】  保守作業を簡易にできるようにした電話端末を提供すること。【解決手段】  実施形態によれば、ＤＨＣＰ（Dynamic Host Configuration Protocol）サーバを備えるネットワークシステムに接続される電話端末は、リピータハブと、取得部と、割り当て部と、通信部とを具備する。リピータハブは、ネットワークシステムに接続されるネットワークポートと、電子機器に接続されるポートとを備える。取得部は、ＤＨＣＰサーバから電話端末用の第１のＩＰ（Internet Protocol）アドレスと、電子機器用の第２のＩＰアドレスとを取得する。割り当て部は、電子機器からのＩＰアドレス割り当て要求に応じて、第２のＩＰアドレスを要求元の電子機器に割り当てる。通信部は、第１のＩＰアドレスと、電子機器に割り当てられたＩＰアドレスとを用いて当該電子機器と通信する。【選択図】図２
2012212959.tif 000002
【特許請求の範囲】
【請求項１】
ＤＨＣＰ（Dynamic Host Configuration Protocol）サーバを備えるネットワークシステムに接続される電話端末において、
前記ネットワークシステムに接続されるネットワークポートと、電子機器に接続されるポートとを備えるリピータハブと、
前記ＤＨＣＰサーバから前記電話端末用の第１のＩＰ（Internet Protocol）アドレスと、前記電子機器用の第２のＩＰアドレスとを取得する取得部と、
前記電子機器からのＩＰアドレス割り当て要求に応じて、前記第２のＩＰアドレスを要求元の電子機器に割り当てる割り当て部と、
前記第１のＩＰアドレスと、前記電子機器に割り当てられたＩＰアドレスとを用いて当該電子機器と通信する通信部と、
を具備する、電話端末。
【請求項２】
さらに、前記第２のＩＰアドレスの割り当ての成否と、当該第２のＩＰアドレスの有効期限と、第３のＩＰアドレスとを記憶する記憶部と、
前記記憶部の記憶内容を参照して前記第２のＩＰアドレスの使用の可否を判定する判定部とを具備し、
前記割り当て部は、前記判定部による判定の結果前記第２のＩＰアドレスが使用不可であれば、前記第３のＩＰアドレスを前記要求元の電子機器に割り当てる、請求項１に記載の電話端末。
【請求項３】
さらに、前記ネットワークポートを介する前記ネットワークシステムとのリンクを認識する認識部を具備し、
前記割り当て部は、前記認識部により前記リンクが認識されれば、当該割り当て部の機能を停止する、請求項１に記載の電話端末。
【請求項４】
ＤＨＣＰ（Dynamic Host Configuration Protocol）サーバを備えるネットワークシステムに接続され、電話端末を前記ネットワークシステムに接続する通信デバイスにおいて、
前記ネットワークシステムに接続されるネットワークポートと、電子機器に接続されるポートと、前記電話端末に接続されるポートとを備えるリピータハブと、
前記ＤＨＣＰサーバから前記通信デバイス用の第１のＩＰ（Internet Protocol）アドレスと、前記電子機器用の第２のＩＰアドレスとを取得する取得部と、
前記電子機器からのＩＰアドレス割り当て要求に応じて、前記第２のＩＰアドレスを要求元の電子機器に割り当てる割り当て部と、
前記第１のＩＰアドレスと、前記電子機器に割り当てられたＩＰアドレスとを用いて当該電子機器と通信する通信部と、を具備する、通信デバイス。
【請求項５】
さらに、前記第２のＩＰアドレスの割り当ての成否と、当該第２のＩＰアドレスの有効期限と、第３のＩＰアドレスとを記憶する記憶部と、
前記記憶部の記憶内容を参照して前記第２のＩＰアドレスの使用の可否を判定する判定部とを具備し、
前記割り当て部は、前記判定部による判定の結果前記第２のＩＰアドレスが使用不可であれば、前記第３のＩＰアドレスを前記要求元の電子機器に割り当てる、請求項４に記載の通信デバイス。
【請求項６】
さらに、前記ネットワークポートを介する前記ネットワークシステムとのリンクを認識する認識部を具備し、
前記割り当て部は、前記認識部により前記リンクが認識されれば、当該割り当て部の機能を停止する、請求項４に記載の通信デバイス。
【請求項７】
ＤＨＣＰ（Dynamic Host Configuration Protocol）サーバを備えるネットワークシステムに接続される電話端末を電子機器を用いて保守する端末保守方法において、
前記電話端末は、前記ネットワークシステムに接続されるネットワークポートと、電子機器に接続されるポートとを備えるリピータハブを具備し、
前記電話端末が、前記ＤＨＣＰサーバから前記電話端末用の第１のＩＰ（Internet Protocol）アドレスと、前記電子機器用の第２のＩＰアドレスとを取得し、
前記電話端末が、前記電子機器からのＩＰアドレス割り当て要求に応じて、前記第２のＩＰアドレスを要求元の電子機器に割り当て、
前記電話端末が、前記第１のＩＰアドレスと、前記電子機器に割り当てられたＩＰアドレスとを用いて当該電子機器と通信する、端末保守方法。
【請求項８】
前記電話端末は、さらに、記憶部を具備し、
前記電話端末が、前記第２のＩＰアドレスの割り当ての成否と、当該第２のＩＰアドレスの有効期限と、第３のＩＰアドレスとを前記記憶部に記憶し、
前記電話端末が、前記記憶部の記憶内容を参照して前記第２のＩＰアドレスの使用の可否を判定し、
前記電話端末が、前記判定の結果前記第２のＩＰアドレスが使用不可であれば、前記第３のＩＰアドレスを前記要求元の電子機器に割り当てる、請求項７に記載の端末保守方法。
【請求項９】
前記電話端末が、前記ネットワークポートを介する前記ネットワークシステムとのリンクを認識し、
前記電話端末が、前記リンクが認識されれば、前記割り当てることを停止する、請求項７に記載の端末保守方法。
【発明の詳細な説明】
【技術分野】
【０００１】
本発明の実施形態は、ＩＰ（Internet Protocol）ネットワークを利用して電話通信を実現する電話端末、通信デバイス、および端末保守方法に関する。
【背景技術】
【０００２】
ＩＰネットワークを介して音声パケットを伝送する電話システムが発展してきている。この種のシステムはＶｏＩＰ（Voice over IP）などと称され、近年の電話システムの主流になってきている。  
この種のシステムにおける電話端末はＩＰ電話機などと称され、ＬＡＮ（Local Area Network）などのネットワークシステムに接続して使用される。ＩＰ電話機は多種多様な機能を備えており、必要に応じて保守を行なう必要がある。保守に係わる作業には、例えばＩＰ電話機に係わるソフトウェア／ファームウェアのアップデートや通話ログの取り出し、あるいは不具合が生じたときの復旧作業などがある。
【０００３】
保守に際してはＩＰ電話機に専用のパーソナルコンピュータ（ＰＣ）を接続し、この保守用ＰＣを用いて作業を行なうことが多い。このような形態において以下（１）、（２）のような不便のあることが知られている。
【０００４】
（１）  保守用ＰＣをネットワークシステムに接続し、ネットワークシステムを経由して保守対象のＩＰ電話機にアクセスして保守を行なう形態がある。この形態では保守用ＰＣとＩＰ電話機との間でデータをダウンロード／アップロードする際に、データパケットがネットワークシステムを流れることになる。よってデータパケットのトラフィックが音声パケットのトラフィックを圧迫し、通話に雑音などが生じて通話品質が劣化する。
【０００５】
（２）  ＩＰ電話機に備わるハブ機能を利用し、保守対象のＩＰ電話機のハブのポートに保守用ＰＣを接続するもう一つの形態がある。この形態では、保守用ＰＣのＩＰアドレスの定期的リフレッシュなどの観点から、ＩＰ電話機をネットワークシステムに常時接続しておく必要がある。保守作業時においては呼（call）の到来を防ぐためにＩＰ電話機をネットワークシステムから切り離しておきたいが、（２）の形態では（（１）の形態においても）それができない。
【先行技術文献】
【特許文献】
【０００６】
【特許文献１】特開２００６−０８６９７４号公報
【発明の概要】
【発明が解決しようとする課題】
【０００７】
ＩＰ電話機の保守作業にあたってはデータトラフィックがネットワークシステムを流れないようにしたい。また、ＩＰ電話機とネットワークシステムとの間を一時的に切断できるようにしたい。このような形態での保守を、複雑な設定やシステムの改変を伴うことなく、簡易に実施できるようにしたシステムの開発が待たれている。  
目的は、保守作業を簡易にできるようにした電話端末、通信デバイスおよび端末保守方法を提供することにある。
【課題を解決するための手段】
【０００８】
実施形態によれば、ＤＨＣＰ（Dynamic Host Configuration Protocol）サーバを備えるネットワークシステムに接続される電話端末は、リピータハブと、取得部と、割り当て部と、通信部とを具備する。リピータハブは、ネットワークシステムに接続されるネットワークポートと、電子機器に接続されるポートとを備える。取得部は、ＤＨＣＰサーバから電話端末用の第１のＩＰ（Internet Protocol）アドレスと、電子機器用の第２のＩＰアドレスとを取得する。割り当て部は、電子機器からのＩＰアドレス割り当て要求に応じて、第２のＩＰアドレスを要求元の電子機器に割り当てる。通信部は、第１のＩＰアドレスと、電子機器に割り当てられたＩＰアドレスとを用いて当該電子機器と通信する。
【図面の簡単な説明】
【０００９】
【図１】実施形態に係わる電話システムの一例を示す図。
【図２】図１に示されるＩＰＴ１〜４の実施の形態を示す機能ブロック図。
【図３】管理テーブル４４ｄにおいて管理される内容の一例を示す図。
【図４】実施形態におけるＩＰ電話機（ＩＰＴ）の処理手順の一例を示すフローチャート。
【図５】実施形態におけるＩＰ電話機（ＩＰＴ）の処理手順の一例を示すフローチャート。
【図６】実施形態に係わる通信デバイスの一例を示す機能ブロック図。
【発明を実施するための形態】
【００１０】
図１は、実施形態に係わる電話システムの一例を示す図である。この例ではＩＰネットワーク１００を利用して音声通話を行う、いわゆるＶｏＩＰを想定する。図１に示されるようなシステムにおける呼接続処理プロトコルはＳＩＰ（Session Initiation Protocol）が代表的であるが、これに限らずＭｅｇａｃｏ（Media Gateway Control）、あるいはＨ．３２３などのプロトコルも同様に利用できる。
【００１１】
図１において、ＩＰネットワーク１００に複数のＬＡＮ（Local Area Network）２００，３００が接続される。各ＬＡＮ２００，３００には端末装置としてのＩＰ電話機（IP Terminal：ＩＰＴ）が接続される。ＬＡＮ２００，３００は例えば企業内などのローカルエリアに敷設されたネットワークシステムである。
【００１２】
例えばＬＡＮ２００にはＤＨＣＰ（Dynamic Host Configuration Protocol）サーバ２０１およびＳＩＰサーバ２０２が接続される。ＤＨＣＰサーバ２０１は、ＩＰネットワーク（ＬＡＮ２００，３００を含む）におけるＩＰアドレスの割り当てに係わる処理を担うサーバである。すなわちＩＰＴ−１，ＩＰＴ−２は、ＤＨＣＰサーバを備えるネットワークシステムに接続される。ＩＰＴ−３，ＩＰＴ−４もその範疇に含めることが可能である。ＳＩＰサーバは、クライアント間でのピア・ツウ・ピアまたはＳＩＰサーバを介したセッション形成に係わる処理を担うサーバである。
【００１３】
ＩＰＴ−１〜ＩＰＴ−４はエンベデッドに構成されたＩＰ電話端末のほか、移動通信端末、あるいは電話機能をインストールしたコンピュータ（いわゆるソフトフォン）などであってよい。
【００１４】
このような構成において、保守を行うため、ＩＰＴ−２に保守用ＰＣ４００が接続される場合を想定する。このケースでは、ＩＰＴ−２と保守用ＰＣ４００とで授受される、保守に関する情報がネットワーク上に流れることを防ぐために、ＩＰＴ−２とネットワークシステム（ＬＡＮ２００）とのリンクが切断されているのが好ましい。実施形態ではこの設定を簡易に実現可能な手法につき説明する。
【００１５】
図２は、図１に示されるＩＰＴの実施の形態を示す機能ブロック図である。図２においては例えばＩＰＴ−２の機能ブロックを示すが、他のＩＰＴ−１、ＩＰＴ−３、ＩＰＴ−４も同様である。  
ＩＰＴ−２は、表示器４０と、リピータハブ（ＨＵＢ）４１と、制御部４２と、キーパッド部４３と、メモリ４４とを備える。このうち表示器４０は、例えばＬＣＤ（Liquid Crystal Display）であり、種々のメッセージを視覚的に表示する。キーパッド部４３はソフトキーや数字キーなどを備え、ユーザの入力操作を受け付ける。
【００１６】
リピータハブ４１は、ＬＡＮケーブルなどを介してネットワークシステムに接続されるネットワークポート４１ａと、電子機器としての保守用ＰＣ４００に接続されるポート４１ｂとを備える。すなわちリピータハブ４１は、或るポートから受信したデータを他のポートに送信する機能（ハブ機能）を備える。この機能はいわゆるレイヤ１スイッチにより実現されるもので、データパケットをポート間で透過的に通過させるという機能である。
【００１７】
メモリ４４は、例えばフラッシュメモリなどの書き換え可能な半導体記憶デバイスである。メモリ４４はその記憶領域に、端末ＩＰアドレス４４ａと、第２ＩＰアドレス４４ｂと、ローカルＩＰアドレス４４ｃと、管理テーブル４４ｄとを記憶する。端末ＩＰアドレス４４ａは、ＤＨＣＰサーバ２０１から取得した、自端末用のＩＰアドレスである。第２ＩＰアドレス４４ｂは、リピータハブ４１を介して接続される保守用ＰＣ４００が通信を行うために、ＤＨＣＰサーバ２０１から取得するＩＰアドレスである。ローカルＩＰアドレス４４ｃは、ＩＰＴと保守用ＰＣ４００との間での通信のために用いられるアドレスである。このローカルＩＰアドレス４４ｃは上記ケースにおいて保守用ＰＣ４００に割り当てられる。管理テーブル４４ｄについては図３を用いて後述する。
【００１８】
制御部４２は、この実施形態に係わる処理機能として、取得部４２ａと、割り当て部４２ｂと、通信部４２ｃと、判定部４２ｄと、認識部４２ｅとを備える。  
取得部４２ａは、ＤＨＣＰサーバ２０１から端末ＩＰアドレス４４ａと、第２ＩＰアドレスとを取得し、これらをメモリ４４に記憶する。
【００１９】
通信部４２ｃは、端末ＩＰアドレスと、保守用ＰＣ４００に割り当てられたＩＰアドレスとを用いて保守用ＰＣ４００と通信する。この通信により、例えばＩＰＴの保守に係わるデータのダウンロード／アップロードが保守用ＰＣ４００との間で実行される。判定部４２ｄは、メモリ４４の管理テーブル４４ｄの内容を参照して、第２ＩＰアドレスの使用の可否を判定する。この判定の結果、第２ＩＰアドレスが使用不可であれば、割り当て部４２ｂは、ローカルＩＰアドレスを要求元である保守用ＰＣ４００に割り当てる。
【００２０】
認識部４２ｅは、ネットワークポート４１ａを介するネットワークシステムとのリンクを認識する。簡単に言えば、例えばＬＡＮケーブルがネットワークポート４１ａに接続されているか否かで認識部４２ｅはリンクの接続／切断を認識することができる。
【００２１】
割り当て部４２ｂは、保守用ＰＣ４００からのＩＰアドレス割り当て要求に応じて、前記第２のＩＰアドレスを要求元である保守用ＰＣ４００に割り当てる。割り当て部４２ｂは、認識部４２ｅによりリンクが接続されていることが認識されれば、自らの機能を停止する。このような処理はソフトウェア作成時のコーディングで容易に可能である。
【００２２】
図３は、管理テーブル４４ｄにおいて管理される内容の一例を示す図である。図３に示すように管理テーブル４４ｄにおいては、端末ＩＰアドレスの割り当ての可否（成否）と、そのＩＰアドレスの具体的な内容、および有効期限が記載される。同様に管理テーブル４４ｄにおいては、第２ＩＰアドレスの割り当ての可否（成否）と、そのＩＰアドレスの具体的な内容、および有効期限が記載される。つまり管理テーブル４４ａは、ＤＨＣＰサーバ２０１による割り当ての成否と、有効期限（リース期限）とを、端末ＩＰアドレス、第２ＩＰアドレスごとに管理するためのテーブルである。次に、上記構成における作用を説明する。
【００２３】
図４は、実施形態におけるＩＰ電話機（ＩＰＴ）の処理手順の一例を示すフローチャートである。なおＩＰＴのＩＰアドレスである端末ＩＰアドレス４４ａは既に割り当てられているとする。
【００２４】
図４において、ＩＰＴに保守用ＰＣ４００が接続されると（ブロックＳ１）、ＩＰＴは、ＩＰＴと保守用ＰＣ４００との間のリンクを確認する（ブロックＳ２）。次にＩＰＴは、ＩＰＴとネットワークシステムとのリンクを認識する（ブロックＳ３）。ここでネットワークシステムとのリンクが認識されれば（Ｙｅｓ）、保守用ＰＣ４００が使用するＩＰアドレスの割り当ては、ＤＨＣＰサーバ２０１が行うことなる（ブロックＳ４）。
【００２５】
保守用ＰＣ４００にＩＰアドレスが割り当てられれば、保守用ＰＣ４００はＩＰＴと通信することが可能になる。なお上記リンクが認識された状態では、保守用ＰＣ４００は、ＩＰＴのリピータハブ４１を介してネットワークシステム上での通信を行うことも可能である。
【００２６】
ブロックＳ３でネットワークシステムとのリンクが認識されなければ（Ｎｏ）、ＩＰＴは、割り当て部４２ｂを起動する（ブロックＳ５）。これにより、保守用ＰＣ４００へのＩＰアドレスの付与は、ＤＨＣＰサーバ２０１に代わり、割り当て部４２ｂが行うようになる。  
この状態で、保守用ＰＣ４００からＩＰアドレス割り当て要求を受けると、ＩＰＴは、ＤＨＣＰサーバ２０１によるＩＰアドレスの割り当てが完了しているか否かを確認する。詳しくは、ＩＰＴは第２ＩＰアドレス４４ｂが、ＤＨＣＰサーバ２０１から割り当てられているか否かを判定する（ブロックＳ６）。ブロックＳ６でＹｅｓであれば、ＩＰＴは、割り当てられた第２ＩＰアドレス４４ｂがその時点で有効期限内にあるか否かを判定する（ブロックＳ７）。
【００２７】
ブロックＳ６またはブロックＳ７においてＮｏであれば、ＩＰＴの割り当て部４２ｂは、保守用ＰＣ４００からのＩＰアドレス割り当て要求に応じて、ＩＰＴと保守用ＰＣ４００との間で使用するためのローカルＩＰアドレス４４ｃを保守用ＰＣ４００に割り当てる（ブロックＳ８）。  
ブロックＳ７においてＹｅｓであれば、ＩＰＴの割り当て部４２ｂは、保守用ＰＣ４００からのＩＰアドレス割り当て要求に応じて、第２ＩＰアドレス４４ｂを保守用ＰＣ４００に割り当てる（ブロックＳ９）。
【００２８】
以上の手順により保守用ＰＣ４００にユニークなＩＰアドレスが割り当てられる。これにより、ＩＰＴとネットワークシステムとのリンクを切断した状態で、ＩＰＴと保守用ＰＣ４００との間での通信が可能になり、双方向での種々のデータの授受が可能になる。種々のデータにはログデータ、バックアップデータ、設定データ、あるいはＩＰＴのプログラム更新のためのファイルデータなどがある。
【００２９】
なお端末ＩＰアドレス４４ａについては、有効期間が過ぎていても、ネットワークシステムとのリンクが認識されるまで、固定的な端末ＩＰアドレス４４ａを継続して使用するようにする。ネットワークシステムとのリンクが認識されるまで、とは、つまりＩＰＴがネットワークシステムに再接続されるまでである。
【００３０】
図５は、実施形態におけるＩＰ電話機（ＩＰＴ）の処理手順の一例を示すフローチャートである。図５においては、図４のフローチャートにおいて保守用ＰＣ４００にＩＰアドレスが割り当てられたのち、ＩＰＴがネットワークシステムに再接続された後の処理手順が示される。図５の処理手順は、例えば保守に係わるデータの授受が終了したのちＩＰＴを動作状態に戻すために実施される。
【００３１】
ＩＰＴがネットワークシステムに再接続されると（ブロックＳ１１）、ＩＰＴはネットワークシステムとのリンクを認識する（ブロックＳ１２）。そうするとＩＰＴは割り当て部４２ｂの機能を停止する（ブロックＳ１３）。よってＩＰＴのＤＨＣＰサーバ機能は停止される。
【００３２】
次にＩＰＴは、保守用ＰＣ４００に対してローカルＩＰアドレス４４ｃが割り当てられているか否かを判定する（ブロックＳ１４）。ここでＹｅｓであれば、ＩＰＴはローカルＩＰアドレス４４ｃの取り消しを保守用ＰＣ４００に要求する（ブロックＳ１５）。これを受けて保守用ＰＣ４００は、改めてＩＰアドレスの割り当て要求を送信する。
【００３３】
保守用ＰＣ４００から送信されたＩＰアドレス割り当て要求は、ＩＰＴのリピータハブ４１を経由して、ネットワークシステムのＤＨＣＰサーバ２０１により受信される。このＩＰアドレス割り当て要求に応じて、ＤＨＣＰサーバ２０１はＩＰアドレスの割り当てを行う。すなわちＩＰアドレスの割り当ては、ＩＰＴの割り当て部４２ｂよりもＤＨＣＰサーバ２０１が優先されることになる。  
なお端末ＩＰアドレス４４ａの有効期間が過ぎていれば、ネットワークシステムとのリンクが認識されたのち、ＩＰＴもＩＰアドレスの割り当てをＤＨＣＰサーバ２０１に対して改めて要求する。
【００３４】
実施形態では、ＩＰＴは自身のＩＰアドレス（端末ＩＰアドレス）に加えて、ＩＰＴに接続される保守用ＰＣ４００が使用するための少なくとももう１つのＩＰアドレス（第２ＩＰアドレス）の取得をＤＨＣＰサーバ２０１に要求する。そして、ＩＰＴは、ネットワーク上のＤＨＣＰサーバ２０１から、各ＩＰアドレスが割り当てられたかどうか、割り当てられたならば有効期限を過ぎているか否か、を管理する。  
さらにＩＰＴは、ネットワークポート４１ａ上のリンク状態、ポート４１ｂ上のリンク状態を個別に認識し、その結果と、上記管理の結果に基づいて、保守用ＰＣ４００へのＩＰアドレスの割り当てを制御する。
【００３５】
以上のようにしたので、保守用ＰＣ４００をＩＰＴに接続した際に、保守用ＰＣ４００とＩＰＴとの通信を簡易に行うことができ、かつ、データトラフィックがネットワークシステムを流れない形態で実施できるようになる。さらには、ＩＰＴとネットワークシステムとのリンクの有無に応じて、ＩＰＴによるＩＰアドレス割り当て機能を起動／停止するようにしているので、保守用ＰＣ４００に対するＩＰアドレスの割り当てを、ＤＨＣＰサーバ２０１の存在を考慮したかたちで実施することが可能になる。従って、ＩＰＴにより他のクライアントにＩＰアドレスが割り当てられることを防止できる。これらのことから、保守作業を簡易にできるようにした電話端末、端末保守方法を提供することが可能となる。
【００３６】
なお本発明は上記実施形態に限定されるものではない。  
図６は、実施形態に係わる通信デバイスの一例を示す機能ブロック図である。図６には、ＶｏＩＰ機能を備えていない標準の電話機（符合６を付して普通電話機と称する）を、ネットワークシステムに接続する通信デバイスの一例が示される。この通信デバイスをアダプタ５００と称する。
【００３７】
アダプタ５００は、普通電話機６にＶｏＩＰ通信機能を提供する。具体的には、アダプタ５００は、普通電話機６を収容する機能、普通電話機６の操作により電話システムへのシグナリングプロトコルを起動する機能、受信したシグナリングメッセージにより普通電話機６の呼び出し音などを鳴らす機能（着信通知機能）、ネットワークシステム上で授受される音声パケットを普通電話機６に中継する機能などを備える。
【００３８】
アダプタ５００は、図２に示すリピータハブ４１と、制御部４２と、メモリ４４とを備える。特にリピータハブ４１は、ネットワークポート４１ａ、ポート４１ｂに加え、普通電話機６に接続されるポート４１ｃを備える。このような構成により、保守作業を簡易にできるようにした通信デバイスを提供することが可能となる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４０】
１００…ＩＰネットワーク、２００，３００…ＬＡＮ、ＩＰＴ−１，ＩＰＴ−２，ＩＰＴ−３，ＩＰＴ−４…ＩＰ電話機、２０１…ＤＨＣＰサーバ、２０２…ＳＩＰサーバ、４００…保守用ＰＣ、４０…表示器、４１…リピータハブ（ＨＵＢ）、４１ａ…ネットワークポート、４１ｂ，４１ｃ…ポート、４２…制御部、４２ａ…取得部、４２ｂ…割り当て部、４２ｃ…通信部、４２ｄ…判定部、４２ｅ…認識部、４３…キーパッド部、４４…メモリ、４４ａ…端末ＩＰアドレス、４４ｂ…第２ＩＰアドレス、４４ｃ…ローカルＩＰアドレス、４４ｄ…管理テーブル、５００…アダプタ、６…普通電話機
【図１】
2012212959.tif 000003
【図２】
2012212959.tif 000004
【図３】
2012212959.tif 000005
【図４】
2012212959.tif 000006
【図５】
2012212959.tif 000007
【図６】
2012212959.tif 000008
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
ＤＨＣＰ（Dynamic Host Configuration Protocol）サーバを備えるネットワークシステムに接続される電話端末において、
前記ネットワークシステムに接続されるネットワークポートと、電子機器に接続されるポートとを備えるリピータハブと、
前記ＤＨＣＰサーバから前記電話端末用の第１のＩＰ（Internet Protocol）アドレスと、前記電子機器用の第２のＩＰアドレスとを取得する取得部と、
前記第２のＩＰアドレスの割り当ての成否と、当該第２のＩＰアドレスの有効期限と、第３のＩＰアドレスとを記憶する記憶部と、
前記記憶部の記憶内容を参照して前記第２のＩＰアドレスの使用の可否を判定する判定部と、
前記電子機器からのＩＰアドレス割り当て要求に応じて、前記第２のＩＰアドレスを要求元の電子機器に割り当て、前記判定部による判定の結果前記第２のＩＰアドレスが使用不可であれば、前記第３のＩＰアドレスを前記要求元の電子機器に割り当てる割り当て部と、
前記第１のＩＰアドレスと、前記電子機器に割り当てられたＩＰアドレスとを用いて当該電子機器と通信する通信部とを具備する、電話端末。
【請求項２】
さらに、前記ネットワークポートを介する前記ネットワークシステムとのリンクを認識する認識部を具備し、
前記割り当て部は、前記認識部により前記リンクが認識されれば、当該割り当て部の機能を停止する、請求項１に記載の電話端末。
【請求項３】
ＤＨＣＰ（Dynamic Host Configuration Protocol）サーバを備えるネットワークシステムに接続され、電話端末を前記ネットワークシステムに接続する通信デバイスにおいて、
前記ネットワークシステムに接続されるネットワークポートと、電子機器に接続されるポートと、前記電話端末に接続されるポートとを備えるリピータハブと、
前記ＤＨＣＰサーバから前記通信デバイス用の第１のＩＰ（Internet Protocol）アドレスと、前記電子機器用の第２のＩＰアドレスとを取得する取得部と、
前記第２のＩＰアドレスの割り当ての成否と、当該第２のＩＰアドレスの有効期限と、第３のＩＰアドレスとを記憶する記憶部と、
前記記憶部の記憶内容を参照して前記第２のＩＰアドレスの使用の可否を判定する判定部と、
前記電子機器からのＩＰアドレス割り当て要求に応じて、前記第２のＩＰアドレスを要求元の電子機器に割り当て、前記判定部による判定の結果前記第２のＩＰアドレスが使用不可であれば、前記第３のＩＰアドレスを前記要求元の電子機器に割り当てる割り当て部と、
前記第１のＩＰアドレスと、前記電子機器に割り当てられたＩＰアドレスとを用いて当該電子機器と通信する通信部とを具備する、通信デバイス。
【請求項４】
さらに、前記ネットワークポートを介する前記ネットワークシステムとのリンクを認識する認識部を具備し、
前記割り当て部は、前記認識部により前記リンクが認識されれば、当該割り当て部の機能を停止する、請求項３に記載の通信デバイス。
【請求項５】
ＤＨＣＰ（Dynamic Host Configuration Protocol）サーバを備えるネットワークシステムに接続される電話端末を電子機器を用いて保守する端末保守方法において、
前記電話端末は、前記ネットワークシステムに接続されるネットワークポートと、電子機器に接続されるポートとを備えるリピータハブを具備し、
前記電話端末が、前記ＤＨＣＰサーバから前記電話端末用の第１のＩＰ（Internet Protocol）アドレスと、前記電子機器用の第２のＩＰアドレスとを取得し、
前記電話端末が、前記第２のＩＰアドレスの割り当ての成否と、当該第２のＩＰアドレスの有効期限と、第３のＩＰアドレスとを記憶部に記憶し、
前記電話端末が、前記記憶部の記憶内容を参照して前記第２のＩＰアドレスの使用の可否を判定し、
前記電話端末が、前記電子機器からのＩＰアドレス割り当て要求に応じて、前記第２のＩＰアドレスを要求元の電子機器に割り当て、前記判定の結果前記第２のＩＰアドレスが使用不可であれば、前記第３のＩＰアドレスを前記要求元の電子機器に割り当て、
前記電話端末が、前記第１のＩＰアドレスと、前記電子機器に割り当てられたＩＰアドレスとを用いて当該電子機器と通信する、端末保守方法。
【請求項６】
前記電話端末が、前記ネットワークポートを介する前記ネットワークシステムとのリンクを認識し、
前記電話端末が、前記リンクが認識されれば、前記割り当てることを停止する、請求項５に記載の端末保守方法。